(57)【要約】　　　（修正有）【課題】コンパクトで、かつ、ホッパから零れて来る被処理物による損傷を防止した燃料タンクを備えた自走式廃棄物処理機を提供する。【解決手段】処理装置と、この処理装置を駆動する動力源と、上記処理装置によって処理される被処理物が投入されるホッパ４と、このホッパ４に投入された被処理物を上記処理装置に向けて搬送するフィーダ５と、これらが搭載される自走台車１とを少なくとも具備した自走式廃棄物処理機において、上記自走台車１に搭載されたホッパ４の側部で、ホッパ４の滑落板の下方に、上面が外側下方に傾斜した燃料タンク７を配置した。【選択図】図１
2004057889.tif 000002
【特許請求の範囲】
【請求項１】
処理装置と、この処理装置を駆動する動力源と、上記処理装置によって処理される被処理物が投入されるホッパと、このホッパに投入された被処理物を上記処理装置に向けて搬送するフィーダと、これらが搭載される自走台車とを少なくとも具備した自走式廃棄物処理機において、上記自走台車に搭載されたホッパの側部で、ホッパの滑落板の下方に、上面が外側下方に傾斜した燃料タンクを配置したことを特徴とする自走式廃棄物処理機。
【請求項２】
燃料供給口が上記燃料タンクの一側部に設けられ、該燃料供給口をガードするガード板部が、燃料タンクの上面部に沿って延設されていることを特徴とする請求項１記載の自走式廃棄物処理機。
【請求項３】
上記燃料タンクの上面を、該燃料タンクの他の部位より厚い板材で構成したことを特徴とする請求項１乃至２記載の自走式廃棄物処理機。
【発明の詳細な説明】
【０００１】
【発明が属する技術分野】
本発明は、建設廃材等を破砕処理する破砕装置を備えた自走式破砕機や、土砂に土質改良材を加えて解砕混合処理する混合装置を備えた自走式土質改良機等を含む自走式廃棄物処理機に関するものである。
【０００２】
【従来の技術】
自走式破砕機は、ビルや橋梁の解体の際に発生するコンクリートガラ・岩石などの建設廃材等の廃棄物を破砕するものであり、処理装置としてクラッシャーが自走台車に搭載され、この台車の前方上部に配設されたホッパーに投入された建設廃材を、フィーダーでクラッシャーに搬送し、エンジン駆動のクラッシャーにて所定の大きさに破砕して、クラッシャー下部から排出するように構成されている。そして、レイアウトは、例えば特開２０００−３２５８１９号公報に開示されているように、クラッシャーを機械本体の中央に配置し、エンジンを車体幅方向に横置きとして機械本体の後方に配置するとともに、上記クラッシャーの下部からエンジンの下部を経由して後方上部に延びるコンベアを設けているのが一般的であった。
【０００３】
自走式土質改良機は、土建工事において発生する掘削土（所謂建設発生土）のうち埋め戻しに適さない土砂廃棄物を土質改良して再利用させるものであり、処理装置として混合装置が自走台車に搭載され、この台車の前方上部に配設されたホッパーに投入された土砂廃棄物を、フィーダー乃至コンベアで混合装置に搬送し、エンジン駆動の混合装置にて土質改良材とともに解砕混合処理して、混合装置下部から排出するように構成されている。そして、レイアウトは、例えば特開２００２−９５９９１号公報に開示されているように、エンジンを車体幅方向に横置きとして機械本体の後方に配置するとともに、上記混合装置の下部から後方上部に延びるコンベアを設けているのが一般的であった。
【０００４】
【発明が解決しようとする課題】
ところで、自走式廃棄物処理機を作業スペースが限られた現場内に搬入して過不足なく稼働させるには、機械本体はできるだけコンパクトであって、走行性能の安定していることが要求される。しかし、上記従来例の自走式破砕機のようにエンジンを機械本体の後方に配置したのでは、ホッパー、処理装置及びエンジンがシリーズに並んで機械本体の前後方向の寸法が長くなるとともに、重心が台車の後方にあるため安定した走行を行なうには緩慢な移動が強いられる。しかも、エンジンを機械本体の後方に配置しようとするとコンベアとの干渉を避けなければならず、結果としてエンジンの重心位置が高くなり、安定性を欠くことになる。さらに、こうした場合、クラッシャーの後面をエンジンで塞ぐことになり、クラッシャーのメンテナンスもしづらくなる、という問題がある。一方、上記従来例の自走式土質改良機においても、エンジンを機械本体の後方の高い位置に配置している関係上、結果としてエンジンの重心位置が高くなり、安定性を欠くことになる。
【０００５】
このような問題点を解決する技術として、出願人は特願２００１―３７９１６２号にて、破砕装置と、この破砕装置を駆動する動力源と、上記破砕装置によって破砕される被破砕物が投入されるホッパと、このホッパに投入された被破砕物を上記破砕装置に向けて搬送するフィーダと、これらが搭載される自走台車を具備し、上記自走台車の前後いずれか一方側に動力源とホッパとが左右に並べて配置され、他方側に破砕装置が配置されている自走式破砕機を提案した。
【０００６】
この発明によれば、最も重量の大きい破砕装置の反対側に動力源とホッパを左右に並べて配置したため、コンパクト化と重量バランスの安定化が図れた。そして、設置スペースの関係とメンテナンス性の観点から動力源であるエンジンの燃料タンクを、ホッパを挟んで反動力源側のホッパ滑落板の下方に配置した。
【０００７】
ところが、この配置構成を採用したところ、燃料タンクが略直方体でその上面が平面であり、燃料供給口も設けられていることから、ホッパから零れて来る被破砕物の一部が、タンク上面や燃料供給口の口金に衝突してこれらを損傷したりする。また、被破砕物がタンク上面に堆積して燃料供給時に、その都度堆積した被破砕物を除去する余分な作業が増えるし、堆積した粉塵等が燃料供給時に混入して、燃料フィルタの寿命を極端に短くすると言った問題が発生した。
【０００８】
このような問題は、ホッパと動力源とを左右に並べる配置構成を取る限り、自走式土質改良機においても同じ問題が生じる。
【０００９】
本発明は上記問題点に鑑みなされたものであり、ホッパから零れて来る被処理物による損傷を防止した燃料タンクを備えた自走式廃棄物処理機を提供することにある。
【課題を解決するための手段】
【００１０】
本発明の請求項１に係る自走式廃棄物処理機が採用した手段は、処理装置と、この処理装置を駆動する動力源と、上記処理装置によって処理される被処理物が投入されるホッパと、このホッパに投入された被処理物を上記処理装置に向けて搬送するフィーダと、これらが搭載される自走台車とを少なくとも具備した自走式廃棄物処理機において、上記自走台車に搭載されたホッパの側部で、ホッパの滑落板の下方に、上面が外側下方に傾斜した燃料タンクを配置したことを要旨とする。
【００１１】
この請求項１に係る自走式廃棄物処理機によれば、ホッパの滑落板の下方に、上面が外側下方に傾斜した燃料タンクを配置したため、ホッパから零れて来る一部の被処理物は、その殆どがホッパの滑落板に沿って自走台車の外方に飛散する。また、その一部がタンクの上面に落ちてきても、タンク上面が外側下方に傾斜しているので、前記と同様自走台車の外方に落下飛散する。よって、被処理物の一部がタンク上面に落下衝突することが防止され、更に被処理物がタンク上に堆積することもない。
【００１２】
本発明の請求項２に係る自走式廃棄物処理機が採用した手段は、請求項１に記載の自走式廃棄物処理機において、燃料供給口が上記燃料タンクの一側部に設けられ、該燃料供給口をガードするガード板部が、燃料タンクの上面部に沿って延設されていることを要旨とする。
【００１３】
この請求項２に係る自走式廃棄物処理機によれば、落下してくる被処理物から燃料供給口がガードされるので、燃料供給口の口金を損傷することがなく、且つ粉塵等の堆積も防止されるので燃料供給時に粉塵等が燃料に混入しにくくなり、延いては燃料フィルタの寿命を長くすることができる。
【００１４】
本発明の請求項３に係る自走式廃棄物処理機が採用した手段は、請求項１乃至２に記載の自走式廃棄物処理機において、上記燃料タンクの上面を、該燃料タンクの他の部位より厚い板材で構成していることを要旨とする。
【００１５】
この請求項３に係る自走式廃棄物処理機によれば、被処理物が燃料タンクの上面に落下衝突しても、破損することが無いので安全性がより確保できる。
【００１６】
【発明の実施の形態】
以下、本発明の一実施形態を図面を用いて説明する。図１は本発明の自走式廃棄物処理機の一実施形態である自走式破砕機の全体構造を示す正面図であり、図２は図１の左側面図である。
【００１７】
図１および２において、自走式破砕機は、自走台車１上に破砕装置２、動力源であるエンジン３、被破砕物が投入されるホッパ４、該ホッパ４に投入された被破砕物を上記破砕装置２に向けて搬送するフィーダ５、上記破砕装置２で破砕された処理物を機外に搬出する搬出コンベア６等を搭載している。
【００１８】
上記動力源であるエンジン３の燃料タンク７は、自走台車１上の上記ホッパ４の側部で、該ホッパ４に設けられた滑落板８の下方に位置するように設置されている。この燃料タンク７は、図３Ａに正面図を、図３Ｂに側面図を拡大して示すように、矩形箱体の上面９が外側下方に傾斜して形成されており、側面上部のホッパ４壁よりに燃料供給口の口金１０が取り付けられている。尚、１２は燃料のレベルゲージである。
【００１９】
上記上面９は、その一部が上記燃料供給口の口金１０をガードするようガード板部１１が延設されており、このガード板部１１は上面９板と一体に構成されている。そして、矩形箱体の上面９を除く部分は４．５〜６ｍｍの板厚とし、上記ガード板部１１を含む上面９板は被破砕物の落下衝突に対して損傷しないように、その板厚を９〜１０ｍｍとしている。尚、上記ガード板部１１は上面９板に別途板材を溶接にて接続して構成しても良い。
【００２０】
以下、上記実施形態に係る自走式破砕機の作用について説明する。
ローダやショベルによりホッパ４に被破砕物が投入されると、その投入時に被破砕物の一部がホッパ４内に入らずに零れることが多々有る。このような場合でも、燃料タンク７をホッパ４の滑落板８の下方に配置したので、零れた被破砕物の一部は大部分が滑落板８を介して機外に落下して、燃料タンク７の上面９や燃料供給口の口金１０に直接落下衝突してそれらを損傷すると言ったことが回避できる。
【００２１】
また、機内側にも零れ落ちて更に、作業時に発生する粉塵等が燃料タンク７の上面９にも堆積するようになるが、作業時の振動等により上面９の傾斜に沿って粉塵等が機外に滑落するので、それらの堆積も防止できる。加えて、燃料供給時に粉塵等が燃料に混入することがなくなるので、燃料フィルタの寿命が長くなる。
【００２２】
上記燃料タンク７の上面９に、燃料供給口の口金１０をガードするガード板部１１を延設した場合には、口金１０を燃料タンク７の側部上方のホッパよりの位置に設けてあることと相俟って、燃料タンク７の周囲に被破砕物が落下してきたとしても、口金１０が損傷を受けることが無い。
【００２３】
【発明の効果】
以上述べたように、本発明の請求項１に係る自走式廃棄物処理機によれば、上面が外側下方に傾斜した燃料タンクを自走台車に搭載されたホッパの側部で、ホッパの滑落板の下方に配置したので、ホッパから零れてくる被処理物が燃料タンクに落下衝突することが防止できる。また、上面を外側下方に傾斜させているので、その上面に粉塵等が堆積しようとしても作業時の振動により機外に滑落するので、燃料タンクに粉塵等が堆積するのを防止することができる。
【００２４】
本発明の請求項２に係る自走式廃棄物処理機によれば、　燃料タンクの上面に、燃料供給口の口金をガードするガード板部を延設したので、燃料タンクの周囲に被処理物が落下してきたとしても、口金が損傷を受けることが無い。
【００２５】
本発明の請求項３に係る自走式廃棄物処理機によれば、燃料タンクの上面に被処理物が落下衝突するようなことがあっても、タンク上面の板厚を他の部位より厚くしているので、燃料タンクの損傷を防止することができる。
【図面の簡単な説明】
【図１】本発明の一実施形態に係る自走式破砕機の正面図である。
【図２】図１の左側面図である。
【図３】（ａ）燃料タンクの正面図である。（ｂ）燃料タンクの側面図である。
【符号の説明】
１　自走台車
２　破砕装置
３　エンジン
４　ホッパ
５　フィーダ
６　搬出コンベア
７　燃料タンク
８　滑落板
１０　口金
１１　ガード板部
【図１】
2004057889.tif 000003
【図２】
2004057889.tif 000004
【図３】
2004057889.tif 000005